(57)【要約】【課題】広告等の印刷媒体等を元にした画像データから、または、ＲＳＳ情報等に基づき取得した各ウェブサイトの情報から、自身のサイト外への情報に簡易に接続可能な手段を含む複数の分割された範囲から構成されるとともに、印刷等して利用する際にも同様の情報を取得可能でデザイン性にも優れるウェブサイトを容易に作成する。【解決手段】サイト作成ステップとコード付記ステップとを有するウェブサイト作成方法であって、上記サイト作成ステップは、（１）サーバーが、画像データに基づき表示される画像を分割して配置することで複数の分割範囲からなるサイトを作成するステップ、または、（２）サーバーが、取得した複数のサイトの情報を所定範囲毎に配置することで複数の分割範囲からなるサイトを作成するステップであり、上記コード付記ステップは、サーバーが、各範囲内に該サイト外の情報への接続情報を含む二次元コードを付すステップである。【選択図】図１
2010250594.tif 000002
【特許請求の範囲】
【請求項１】
複数の分割された範囲からなるウェブサイトを作成するサイト作成ステップと、前記分割された範囲毎に二次元コードを付すコード付記ステップと、を有するウェブサイト作成方法であって、
前記サイト作成ステップは、（１）サーバーが、所定の画像データに基づき表示される画像を、所定範囲毎に分割して配置することで複数の分割された範囲からなるウェブサイトを作成するステップ、または、（２）サーバーが、インターネット経由で取得した複数のウェブサイトの情報を所定範囲毎に配置することで複数の分割された範囲からなるウェブサイトを作成するステップ、のいずれか一方であり、
前記コード付記ステップは、前記サーバーが、前記分割された範囲毎にその範囲内に該サイト外の情報への接続情報を含む前記二次元コードを付すステップであることを特徴とするウェブサイト作成方法。
【請求項２】
前記コード付記ステップにおいて付される前記二次元コードは、ベースセルとデータセルとがマトリクス状に配列されてなり、前記ベースセルおよびデータセルのいずれか一方が透過状態で前記範囲内に付されることを特徴とする請求項１記載のウェブサイト作成方法。
【請求項３】
前記サイト外の情報は、該サイト外の情報への接続情報を含む二次元コードが付された範囲内の内容に関連した情報であることを特徴とする請求項１または請求項２記載のウェブサイト作成方法。
【請求項４】
前記サイト外の情報は、動画、写真、音、または、他のサイトであることを特徴とする請求項１、請求項２または請求項３記載のウェブサイト作成方法。
【請求項５】
前記サイト作成ステップ（１）において、前記所定の画像データは、ユーザーがインターネット接続端末を用いてインターネット経由で前記サーバーに送信したものであることを特徴とする請求項１ないし請求項４のいずれか一項記載のウェブサイト作成方法。
【請求項６】
前記サイト作成ステップ（１）において、前記画像データに基づき表示される画像の分割は、前記サーバーが、ユーザーの選択するテンプレートに従った範囲で行なうことを特徴とする請求項１ないし請求項５のいずれか一項記載のウェブサイト作成方法。
【請求項７】
前記サイト作成ステップ（１）において、前記サーバーは、画像分割時に前記画像データに含まれるテキスト相当部分をテキストデータとして抽出し、前記画像データに基づき表示される画像を所定範囲毎に分割して配置する際に、該画像のテキスト相当部分を対応する前記テキストデータに置換して配置することを特徴とする請求項１ないし請求項６のいずれか一項記載のウェブサイト作成方法。
【請求項８】
前記サイト作成ステップ（２）において、前記複数のウェブサイトは、ユーザーによるＲＳＳ設定に基づき抽出されたウェブサイト群の中から、ユーザーにより選択されたものであることを特徴とする請求項１ないし請求項７のいずれか一項記載のウェブサイト作成方法。
【請求項９】
前記サイト作成ステップ（２）において、前記複数のウェブサイトの情報の配置は、前記サーバーが、ユーザーの選択するテンプレートに従った範囲で行なうことを特徴とする請求項１ないし請求項８のいずれか一項記載のウェブサイト作成方法。
【請求項１０】
前記サイト作成ステップ（２）において、前記ウェブサイトの情報には、各ウェブサイトから得られる画像データおよびテキストデータが含まれることを特徴とする請求項１ないし請求項９のいずれか一項記載のウェブサイト作成方法。
【請求項１１】
前記複数の分割された範囲からなるウェブサイトは、携帯端末で閲覧されるものであることを特徴とする請求項１ないし請求項１０のいずれか一項記載のウェブサイト作成方法。
【請求項１２】
前記複数の分割された範囲からなるウェブサイトは、印刷媒体に印刷されて使用されるものであることを特徴とする請求項１ないし請求項１１のいずれか一項記載のウェブサイト作成方法。
【発明の詳細な説明】
【技術分野】
【０００１】
本発明は、複数の分割された範囲からなり、その範囲毎に二次元コードを付したウェブサイトを半自動的に作成するウェブサイト作成方法に関する。
【背景技術】
【０００２】
従来より、紙媒体であるチラシ広告等は、新聞販売網を利用した折込広告や、ダイレクトメール等を利用して利用者に配布されている。このようなチラシ広告は、印刷物費用、人件費などが嵩むなどの問題がある。これに対して、折込み広告その他の紙媒体による広告に代えて適時かつ迅速に配信可能で、人件費その他の経費削減を目的とする電子広告配信システムなどが提案されている（特許文献１参照）。
【０００３】
特許文献１の電子広告配信システムの主な構成としては、広告主体から依頼を受けた複数の広告情報から各広告情報毎に電子広告表示手段の広告情報表示欄に表示すべき広告の実体内容情報を作成し、かつ検索欄に表示すべき検索指標を抽出して、それぞれを各電子広告表示手段に伝送すべく構成し、電子広告表示手段を、その広告表示部に、広告の実体内容表示を行う広告情報表示欄と利用者が多数の広告情報から所望のそれを検索するための検索欄とを表示し得るようにしたものが開示されている。ここで、広告情報については、商品またはサービスの提供者から直接に、または、広告代理業者を介して間接に広告の依頼を受け、その提供者に関する情報を含む広告情報を受け取り、管理用コンピュータ等を利用して、その広告情報を自動的に処理し、または、その補助を受けつつ操作者の処理操作により処理してデータを作成している。
【０００４】
また、ユーザーによる一般的なウェブサイトの作成を支援するものとして、遠隔操作によりウェブデータの管理、該データの転送、プレビューなどを行なう手段を有するウェブサイト作成支援システム（特許文献２参照）や、ウェブサイトに画像を含むメディアデータをレイアウトするためのデザインデータを複数種類保持するとともに、ユーザからの選択入力に応じて各デザインデータを提供し、選択されたデザインデータに適合する形式に画像データを変換するプログラム部などを有するウェブサイト作成支援処理プログラム（特許文献３参照）等が開示されている。その他、インターネットの普及に伴い企業や個人がウェブサイトに公開している膨大な情報を収集して分析などを行なうために、任意のウェブサイトからＲＳＳ（Rich Site Summary）データなどを収集して情報を解析するもの（特許文献４参照）が開示されている。
【０００５】
一方、二次元コードは、多くの情報を小さなスペースに収納できる利点がある上、近年の携帯電話等の発達により個人での読取認識が容易となっていることから、急激に普及が進んでおり、情報雑誌、パンプレットに付されること等で利用されている。格納される情報としては、例えば、テキスト情報、インターネットのＵＲＬ（Uniform Resource Locator）等が挙げられる。二次元コードとしては、デンソー（株）により開発・発表されたＱＲ（Ｑｕｉｃｋ  Ｒｅｓｐｏｎｓｅ）コードが国内で最も浸透し利用されている（特許文献５等参照）。従来、ＱＲコードを利用した一態様として、ＱＲコードを商品広告等に付与し、当該商品のより詳細情報を表示できるような手法も多く採用されている。
【０００６】
また、上記二次元コードを利用したものとして、携帯電話等を用い、印刷媒体に付された、サーバーへのＵＲＬが組み込まれた二次元コードを読み取りこのサーバーにアクセスすることで、テキスト情報や静止画情報よりもより情報量が多い動画等を、必要なときに必要な場所で入手することができる音声・映像配信システムなども開示されている（特許文献６参照）。
【先行技術文献】
【特許文献】
【０００７】
【特許文献１】特開２００６−１１６７６号公報
【特許文献２】特開２００２−１９７０１９号公報
【特許文献３】特開２００５−３０９５４７号公報
【特許文献４】特開２００８−２２６２０４号公報
【特許文献５】特許第２９３８３３８号公報
【特許文献６】特開２００８−４２３８９号公報
【発明の概要】
【発明が解決しようとする課題】
【０００８】
しかしながら、特許文献１の電子広告配信システムでは、上記のように、紙媒体の広告とは別に、電子広告用の広告情報や、検索情報（キーワード）等を用意する必要があり、必ずしも簡易に導入できるものではない。また、広告表示部（ＰＣ等のモニタ）における表示レイアウト等の自由度についても十分とはいえない。
【０００９】
また、特許文献２および特許文献３のウェブサイト作成支援では、ウェブサイトの作成を支援するのみであり、基本的にはユーザーの操作に基づきサイトを作成するため、例えば一つの画像から自動的に複数の分割された範囲からなるウェブサイトを作成することはできない。また、インターネット端末上で表示することのみを目的としたウェブサイトであり、リンクＵＲＬ等は直接記述され、例えば二次元コード等は付されていない。よって、例えばこれらを利用して作成したウェブサイトを印刷した場合、この印刷物からでは、サイト外の情報等に接続する手段がない。
【００１０】
一方、特許文献６では反対に上記印刷媒体に対応した同様のレイアウトで複数の分割された範囲からなるウェブサイトは作成されない。また、特許文献６の印刷媒体においてＱＲコード等の二次元コードを付す場合、この二次元コードは、白および黒（または暗褐色）のセルがマトリクス状に配列した正方形状のものであるため、該コードを設けるコード専用スペース（四角白枠の範囲）を設ける必要がある。例えば、一つの画像等に基づきウェブサイトを作成する場合でも、この画像中に二次元コードを埋め込むコード専用スペースを確保しなければならず、デザイン的に違和感が生じるおそれがある。
【００１１】
本発明はこのような問題点を解決するためになされたもので、広告等の印刷媒体等を元にした画像データから、または、ＲＳＳ情報等に基づき取得した各ウェブサイトの情報から、自身のサイト外への情報に簡易に接続可能な手段を含む複数の分割された範囲から構成されるとともに、印刷等して利用する際にも同様の情報を取得可能でデザイン性にも優れるウェブサイトを容易に作成できるウェブサイト作成方法の提供を目的とする。
【課題を解決するための手段】
【００１２】
本発明のウェブサイト作成方法は、複数の分割された範囲からなるウェブサイトを作成するサイト作成ステップと、上記分割された範囲毎に二次元コードを付すコード付記ステップとを有し、上記サイト作成ステップは、（１）サーバーが、所定の画像データに基づき表示される画像を、所定範囲毎に分割して配置することで複数の分割された範囲からなるウェブサイトを作成するステップ、または、（２）サーバーが、インターネット経由で取得した複数のウェブサイトの情報を所定範囲毎に配置することで複数の分割された範囲からなるウェブサイトを作成するステップ、のいずれか一方であり、上記コード付記ステップは、上記サーバーが、上記分割された範囲毎にその範囲内に該サイト外の情報への接続情報を含む上記二次元コードを付すステップであることを特徴とする。
【００１３】
上記コード付記ステップにおいて付される上記二次元コードは、ベースセルとデータセルとがマトリクス状に配列されてなり、上記ベースセルおよびデータセルのいずれか一方が透過状態で上記範囲内に付されることを特徴とする。
【００１４】
上記サイト外の情報は、該サイト外の情報への接続情報を含む二次元コードが付された範囲内の内容に関連した情報であることを特徴とする。また、上記サイト外の情報は、動画、写真、音、または、他のサイトであることを特徴とする。
【００１５】
上記サイト作成ステップ（１）において、上記所定の画像データは、ユーザーがインターネット接続端末を用いてインターネット経由で上記サーバーに送信したものであることを特徴とする。
【００１６】
上記サイト作成ステップ（１）において、上記画像データに基づき表示される画像の分割は、上記サーバーが、ユーザーの選択するテンプレートに従って行なうことを特徴とする。
【００１７】
上記サイト作成ステップ（１）において、上記サーバーは、画像分割時に上記画像データに含まれるテキスト相当部分をテキストデータとして抽出し、上記画像データに基づき表示される画像を所定範囲毎に分割して配置する際に、該画像のテキスト相当部分を対応する上記テキストデータに置換して配置することを特徴とする。
【００１８】
上記複数のウェブサイトは、ユーザーによるＲＳＳ設定に基づき抽出されたウェブサイト群の中から、ユーザーにより選択されたものであることを特徴とする。
【００１９】
上記サイト作成ステップ（２）において、上記複数のウェブサイトの情報の配置は、上記サーバーが、ユーザーの選択するテンプレートに従って行なうことを特徴とする。
【００２０】
上記サイト作成ステップ（２）において、上記ウェブサイトの情報は、各ウェブサイトから得られる画像データおよびテキストデータが含まれることを特徴とする。
【００２１】
上記複数の分割された範囲からなるウェブサイトは、携帯端末で閲覧されるものであることを特徴とする。また、上記複数の分割された範囲からなるウェブサイトは、印刷媒体に印刷されて使用されるものであることを特徴とする。
【発明の効果】
【００２２】
本発明のウェブサイト作成方法は、サーバーが、画像データを分割して配置し、または、ＲＳＳ情報等に基づき取得した各ウェブサイトの情報を所定範囲毎に配置し、分割された範囲毎にＵＲＬ等を含む二次元コードを付すので、インターネット端末上で、さらには印刷等して利用する際にも、自身のサイト外への情報に簡易に接続可能な手段を含む複数の分割された範囲から構成されるウェブサイトを容易に作成できる。
【００２３】
また、上記二次元コードは、ベースセルとデータセルとがマトリクス状に配列されてなり、ベースセルおよびデータセルのいずれか一方が透過状態で上記範囲内に付されるので、元となる画像等と重なっている場合でも、違和感なく付すことができデザイン性に優れる。また、画像等の領域に埋め込むことで、コード専用スペースを設けず場所をとらず省スペースである。
【００２４】
上記サイト外の情報は、該サイト外の情報への接続情報を含む二次元コードが付された範囲内の内容に関連した、例えば、動画、写真、音、または、他のサイトであるので、インターネット端末上で直接にサイトを閲覧する場合、さらには印刷等して閲覧する場合にも、サイト中の分割された範囲内の内容に関連したより詳細な情報等を二次元コードを読み取り可能な携帯端末等を利用して容易に取得できる。
【００２５】
上記サイト作成ステップ（１）において、所定の画像データは、ユーザーがインターネット接続端末を用いてインターネット経由でサーバーに送信したものであるので、例えば、ユーザーが自己の印刷媒体である広告等をスキャンして、その画像を送信することで、この広告と同様のレイアウトを有するウェブサイトを容易に作成できる。
【００２６】
上記サイト作成ステップ（１）において、サーバーは、画像分割時に上記画像データに含まれるテキスト相当部分をテキストデータとして抽出し、画像データに基づき表示される画像を所定範囲毎に分割して配置する際に、該画像のテキスト相当部分を対応する上記テキストデータに置換して配置するので、元となる画像データから、テキスト検索等も可能なウェブサイトが作成できる。
【００２７】
上記サイト作成ステップ（２）において、上記複数のウェブサイトは、ユーザーによるＲＳＳ設定に基づき抽出されたウェブサイト群の中から、ユーザーにより選択されたものであるので、ウェブサイトを構成する記事等をユーザーが容易に選択できる。
【００２８】
上記サイト作成ステップ（２）において、各ウェブサイトの情報は、各ウェブサイトから得られる画像データおよびテキストデータが含まれるので、分割された範囲毎に画像およびテキストを含むウェブサイトが作成できる。
【図面の簡単な説明】
【００２９】
【図１】ウェブサイト作成手順（画像から作成）のフローチャートである。
【図２】サーバー上で準備された分割態様のテンプレートを示す図である。
【図３】サーバー上で準備された編集画面を示す図である。
【図４】付される二次元コードの態様の一例を示す図である。
【図５】画像から作成されたウェブサイトの一例を示す図である。
【図６】ウェブサイト作成手順（ＲＳＳ情報に基づいて作成）のフローチャートである。
【図７】サーバー上で準備された選択画面を示す図である。
【図８】ＲＳＳ情報に基づいて作成されたウェブサイトの一例を示す図である。
【発明を実施するための形態】
【００３０】
本発明のウェブサイト作成方法は、サイト作成ステップと、二次元コードを付すコード付記ステップとからなる。また、サイト作成ステップは、（１）サーバーが、所定の画像データに基づき表示される画像を、所定範囲毎に分割して配置することで複数の分割された範囲からなるウェブサイトを作成する場合（第１の態様）、（２）サーバーが、ＲＳＳ情報等に基づきインターネット経由で取得した複数のウェブサイトの情報を所定範囲毎に配置することで複数の分割された範囲からなるウェブサイトを作成する場合（第２の態様）、とがある。
【００３１】
本発明のウェブサイト作成方法の一実施例として、上記第１の態様のサイト作成ステップを経てウェブサイトを作成する例を図１に基づいて説明する。図１は、ウェブサイト作成手順のフローチャートである。まず、広告、新聞等のサイト元となる情報が記載された紙媒体をスキャナ等で読み込み（Ｓ１）、デジタルデータ化した画像データに変換する（Ｓ２）。その後、この画像データをサーバーに取り込む（Ｓ３）。本発明において「画像データをサーバーに取り込む」とは、画像データをサーバーのＨＤＤ等の記憶装置に保存することをいう。
【００３２】
該画像データは、紙媒体をスキャナ等で読み込んだものでなくとも、例えば、デジタルカメラ等により得られた画像データや、画像編集ソフトで独自に作製された画像データであってもよい。また、画像データのサーバーへの取り込みは、上記スキャナ、デジタルカメラ等を直接サーバーに接続して取り込んでもよく、ユーザーがインターネット接続端末を用いてインターネット経由でサーバーに送信してもよい。通常、サーバー管理者とユーザーとは別人であるため、後者の方法を採用することで、ユーザーが任意の場所から自己の印刷媒体である広告等をスキャンして、その画像を送信することで、この広告と同様のレイアウトを有するウェブサイトを容易に作成できる。
【００３３】
この画像データを用いてサーバーがウェブサイトを作成する手順を以下に説明する。該画像データに基づき表示される画像について、図２に示すように、サーバー上に予め準備された分割態様のテンプレートをユーザーが選択する（Ｓ５）。ユーザーは、インターネット端末でサーバーにアクセスし、ブラウザ上でこのテンプレート選択を行なう。サーバーがこのテンプレートに従い画像を分割する（Ｓ４）。ここで、サーバーによる「画像の分割」は、上記画像データに基づき表示される画像を、所定範囲毎に分割するものであり、同時に画像データファイルも分割してそれぞれの画像に対応した複数ファイルとする。また、ユーザーによるテンプレート選択を不要とし、サーバーにおいて画像中における境界線等を自動認識し、境界毎に区切られた範囲毎に自動分割することもできる（Ｓ４）。
【００３４】
サーバーは、画像分割時に画像データに含まれるテキスト相当部分を文字認識機能によりテキストデータとして抽出することができる（Ｓ６）。この場合、画像データに基づき表示される画像を所定範囲毎に分割して配置する際に、該画像のテキスト相当部分を対応するテキストデータに置換して配置する。これにより、元となる画像データから、テキスト検索等も可能なウェブサイトが作成できる。
【００３５】
以上の（Ｓ１）から（Ｓ６）までの手順が、上記第１の態様におけるサイト作成ステップである。
【００３６】
次に、コード付記ステップとして、サーバーが分割された上記の範囲毎にその範囲（画像）内に該サイト外の情報への接続情報を含む二次元コードを付す（Ｓ７）。ここで、「サイト外の情報」とは、作成されたサイト内に表示等される情報ではなく、該サーバー、または別のサーバー等の記憶装置に保存されている動画、写真、音声といった情報（データ）であり、「サイト外の情報への接続情報」とは、これらの情報（データ）へのリンクである。また、「サイト外の情報への接続情報」には、他のサイトへのリンクも含む。
【００３７】
また、サイト外の情報を、該情報を含む二次元コードが付された範囲内の内容に関連した情報とすることで、ユーザーが、インターネット端末上で直接にサイトを閲覧する場合、さらには印刷等して閲覧する場合にも、サイト中の分割された範囲内の内容に関連したより詳細な情報等を二次元コードを読み取り可能な携帯端末等を利用して容易に取得できる。
【００３８】
二次元コードを付す方法を説明する。図３に示すサーバー上で予め準備された編集機能により、ユーザーが所定範囲に分割された各画像毎に、二次元コードの位置、関連情報等への接続情報（リンク）を設定する。ユーザーは、インターネット端末でサーバーにアクセスし、ブラウザ上でこの編集機能を利用する。また、ユーザーによる編集を不要とし、所定範囲に分割された各画像内において、予め決められた位置（例えば、左上等）に、サーバーにより自動で二次元コードを付すこともできる。また、二次元コードを付すと同時に、分割された各画像に対して、該二次元コードに含まれるリンクと同じリンクを設定しておくこともできる。
【００３９】
図４に示すように、所定範囲に分割された各画像毎に付される二次元コード１は、ベースセル２とデータセル３とがマトリクス状に配列されてなり、このベースセル２およびデータセル３のいずれか一方が透過状態である。ベースセル２およびデータセル３は、共に二次元コードを構成する最小単位であり、正方形の単位セルである。ここで「透過状態」とは、該当セルの部分が透過しており、そのセルを読み取る側の反対側（以下、コード背面側）の画像が該セルの部分に見える状態をいう。
【００４０】
二次元コード１は、従来の任意の二次元コードをベースとすることができる。国内での普及率に優れていること等から、ＱＲコードをベースとすることが好ましい。この場合、ベースセルとデータセルとの組み合わせにより、位置検出パターン（切り出しシンボル）、タイミングパターン、フォーマット情報、データおよび誤り訂正符合（リードソロモン符号）等が構成されている。
【００４１】
ベースセル２は白色または明度の高い色とし、データセル３は黒色、暗褐色または明度の低い色とする。よって、いずれのセルを透過状態とするかの選択は、背景となる画像の状況に依存する。すなわち、コード背面側の画像に明るい部分が多く含まれる場合は、ベースセル２を透過状態とし、反対にコード背面側の画像に暗い部分が多く含まれる場合は、データセル３を透過状態とする。図４では、ベースセル２を透過状態としている。この選択は、ユーザーが上記編集機能により、または、サーバーが自動で行なうことができる。
【００４２】
また、上記編集機能等により、二次元コードを付す位置を、コード背面側の画像が色変化の少ない位置となるよう適宜選択することで、コードをより違和感なく画像に融合できる。二次元コードを、画像の領域に埋め込むことで、デザイン性に優れ、また、コード専用スペースを設けず場所をとらず省スペースとなる。
【００４３】
作成されたウェブサイトの一例を図５に示す。図５に示すウェブサイトは、新聞をスキャナで読み込んで得られた画像データに基づき、上記（Ｓ１）〜（Ｓ６）の手順により、記事毎に分割された画像からなり、かつ各画像内においてテキスト相当部分をテキストデータに置換して配置した形のサイトとして作成した後、上記（Ｓ７）により各画像内にそれぞれの記事内容に対応した情報へのリンクを含む二次元コードを埋め込んだウェブサイトである。
【００４４】
以上の手順により、ユーザーは、自身のサイト外への情報に簡易に接続可能な手段を含む複数の分割された範囲から構成されるウェブサイトを容易に作成できる。また、このウェブサイトは、インターネットを介して携帯端末等により任意の閲覧者が閲覧できる（Ｓ８）。さらに、このウェブサイトを印刷し、印刷物として取り扱う際にも、上記二次元コードが付されているため、該二次元コードを読み取り可能な携帯端末等を利用して、このサイト外の関連情報を容易に取得できる（Ｓ９）。
【００４５】
本発明のウェブサイト作成方法の他実施例として、上記第２の態様のサイト作成ステップを経てウェブサイトを作成する例を図６に基づいて説明する。図６は、ウェブサイト作成手順のフローチャートである。まず、図７に示すサーバー上で予め準備された選択機能により、ユーザーによるＲＳＳ設定に基づくウェブサイト（記事）の一覧から、作成するウェブサイトに取り込むものを選択する（Ｓ１０）。ユーザーは、インターネット端末でサーバーにアクセスし、ブラウザ上でこの選択機能を利用する。また、予めなされたユーザー設定に基づき、サーバーが自動で上記選択を行なうこともできる。
【００４６】
サーバーが、上記選択された複数のウェブサイトの情報をインターネット経由で取得する（Ｓ１１）。ここで、ウェブサイトの情報とは、各ウェブサイトのＲＳＳデータのみ、または、サイトの一部または全データ（画像データ、テキストデータ）である。なお、本発明において「サーバーが取得する」とは、情報（データ）をサーバーのＨＤＤ等の記憶装置に保存することをいう。
【００４７】
サーバーは、上記複数のウェブサイトの情報を、style、div等のＨＴＭＬタグを用いて所定範囲毎に配置することで複数の分割された範囲からなるウェブサイトを作成する（Ｓ１２）。なお、フレーム、テーブルを用いて分割してもよい。ウェブサイトの情報に、画像データおよびテキストデータが含まれる場合には、これらを各範囲内に配置し、画像や表題テキストに対して、元サイトへのリンクを設定しておくことができる。分割態様については、上述の図２に示すサーバー上に予め準備された分割態様のテンプレートを用い、ユーザーが選択できる（Ｓ１３）。
【００４８】
以上の（Ｓ１０）から（Ｓ１３）までの手順が、上記第２の態様におけるサイト作成ステップである。
【００４９】
次に、コード付記ステップとして、サーバーが分割された上記の範囲毎にその範囲（フレーム・テーブル）内に該サイト外の情報への接続情報を含む二次元コードを付す（Ｓ１４）。二次元コードの態様、および二次元コードを付す方法については、上述の第１の態様と同様である。
【００５０】
作成されたウェブサイトの一例を図８に示す。図８に示すウェブサイトは、ユーザーによるＲＳＳ設定に基づき取得した複数のウェブサイト（記事）の画像およびテキスト情報を記事毎に分割して配置した構造であり、各範囲の画像内にそれぞれの記事内容に対応した情報へのリンクを含む二次元コードを埋め込んだウェブサイトである。このウェブサイトは、インターネットを介して携帯端末等により任意の閲覧者が閲覧できる（Ｓ１５）。また、イメージ出力して印刷物とした際にも、二次元コードを読み取り可能な携帯端末等を利用して、このサイト外の関連情報を容易に取得できる（Ｓ１６）。
【００５１】
また、サイト作成ステップの別の態様として、分割範囲、各範囲に配置する情報または該情報への接続情報、二次元コードの情報等を列挙した、所定のＣＳＶファイルを読み込ませて、サーバーにおいて該ファイル内容に従いウェブサイトを作成することもできる。
【産業上の利用可能性】
【００５２】
本発明のウェブサイト作成方法は、広告等の印刷媒体等を元にした画像データから、または、ＲＳＳ情報等に基づき取得した各ウェブサイトの情報等から、自身のサイト外への情報に簡易に接続可能な手段を含む複数の分割された範囲から構成されるとともに、印刷等して利用する際にも同様の情報を取得可能なウェブサイトを容易に作成できる。
【符号の説明】
【００５３】
１  二次元コード
２  ベースセル
３  データセル
【図１】
2010250594.tif 000003
【図６】
2010250594.tif 000004
【図２】
2010250594.tif 000005
【図３】
2010250594.tif 000006
【図４】
2010250594.tif 000007
【図５】
2010250594.tif 000008
【図７】
2010250594.tif 000009
【図８】
2010250594.tif 000010